(57)【要約】【課題】音響機能を付与する際の製造面や施工面での対応が簡単で、着座しての便器使用時における使用者への音の伝達効率も向上される音響機能付き様式便器を提供する。【解決手段】便器本体１にその外周壁の少なくとも前面部分を覆うカバー体２を着脱自在に装着し、このカバー体２の前面に音響装置３のスピーカー部４を設けてなる音響機能付き洋式便器であり、同カバー体２は全体として略袴形状で水平断面が略Ｕ字形状となるように後方へ開口しており、この開口部分から便器本体１の外周壁に装着される。【選択図】図１
2007169934.tif 000002
【特許請求の範囲】
【請求項１】
便器本体にその外周壁の少なくとも前面部分を覆うカバー体を着脱自在に装着し、このカバー体の前面に音響装置のスピーカー部を設けてなる音響機能付き洋式便器。
【請求項２】
カバー体は全体として略袴形状で水平断面が略Ｕ字形状となるように後方へ開口しており、この開口部分から便器本体の外周壁に装着されるものであって、同開口部分にはカバー体を便器本体に対して着脱自在に固定する止め具が備えられていることを特徴とする請求項１記載の音響機能付き洋式便器。
【請求項３】
カバー体の前面が斜め下後方へ傾斜しており、この前面にスピーカー部を斜め下前方へ向けて設けたことを特徴とする請求項１又は２記載の音響機能付き洋式便器。
【請求項４】
カバー体に人体検知センサを設け、この人体検知センサの検知によりスピーカー部が動作されるようになしたことを特徴とする請求項１〜３のいずれか一項記載の音響機能付き洋式便器。
【発明の詳細な説明】
【技術分野】
【０００１】
本願発明は、音響装置のスピーカー部を備えた音響機能付き様式便器に関するものである。
【背景技術】
【０００２】
従来から、図５に示すように、スピーカー部４を備えた音響機能付き様式便器は知られている（特許文献１：特開２００４−１１３３８８号公報）。この場合、便器本体１の後端部上に便座装置８が設置され、この便座装置８に音響装置が内蔵されてそのスピーカー部４が後方へ向けて二つ配設されている。なお、便座装置８は局部洗浄機能を有し、暖房便座本体９及びその上に開閉自在な便蓋１０を回動自在に軸支して備えている。
【０００３】
したがって、この音響機能付き様式便器においては、スピーカー部４からの音をトイレ後ろ壁で反射させて、効率良く且つ左右のバランス良く使用者に伝達することができるとされている。
【特許文献１】特開２００４−１１３３８８号公報
【発明の開示】
【発明が解決しようとする課題】
【０００４】
しかしながら、上記特許文献１に開示された従来例となる音響機能付き様式便器においては、局部洗浄や暖房便座等の多種機能を備えた便座装置８に音響装置及びそのスピーカー部４が設けられるため、音響機能が要望される場合に、大掛かりで大型化する便座装置８を新たに製造し品揃えする必要があって製品管理面やコスト面で問題を生じ、また、取替えが大層となって施工面での問題も発生するものである。しかも、比較的長時間となる着座しての便器使用時には、背方から音が聞こえることになり、使用者への音の伝達効率が充分とは言えないものである。
【０００５】
本願発明は、上記背景技術に鑑みてなされたものであり、その課題は、音響機能を付与する際の製造面や施工面での対応が簡単で、着座しての便器使用時における使用者への音の伝達効率も向上される音響機能付き様式便器を提供することである。
【課題を解決するための手段】
【０００６】
上記課題を解決するために、本願発明の音響機能付き様式便器は、便器本体にその外周壁の少なくとも前面部分を覆うカバー体を着脱自在に装着し、このカバー体の前面に音響装置のスピーカー部を設けてなる。
【発明の効果】
【０００７】
本願発明の音響機能付き様式便器においては、便器本体の外周壁の少なくとも前面部分を覆うカバー体の前面に音響装置のスピーカー部を設けているので、比較的長時間となる着座しての便器使用時に、前方から音が反射して聞こえることになり、使用者へは音が正面から包み込むように伝わって音の伝達効率は向上される。また、スピーカー部が設けられるカバー体は、便器本体の外周壁の少なくとも前面部分を覆うよう着脱自在に装着されるので、既存の便器本体に対しても、コンパクトに体裁良く且つ簡単に装着することができて音響機能を付与し易いものであり、施工やその取替え作業も容易となる。
【発明を実施するための最良の形態】
【０００８】
図１、２は、本願の請求項１〜４全てに対応した一実施形態である音響機能付き様式便器を示している。この実施形態の音響機能付き様式便器は、便器本体１にその外周壁の少なくとも前面部分を覆うカバー体２を着脱自在に装着し、このカバー体２の前面に音響装置３のスピーカー部４を設けてなる。
【０００９】
この実施形態の音響機能付き様式便器において、カバー体２は全体として略袴形状で水平断面が略Ｕ字形状となるように後方へ開口しており、この開口部分５から便器本体１の外周壁に装着されるものであって、同開口部分５にはカバー体２を便器本体１に対して着脱自在に固定する止め具６が備えられている。
【００１０】
また、この実施形態の音響機能付き様式便器では、カバー体２の前面が斜め下後方へ傾斜しており、この前面にスピーカー部４を斜め下前方へ向けて設けている。更に、カバー体２に人体検知センサ７を設け、この人体検知センサ７の検知によりスピーカー部４が動作されるようになっている。
【００１１】
以下、この実施形態の音響機能付き様式便器を、より具体的詳細に説明する。この実施形態の音響機能付き様式便器では、図１に示すように、便器本体１の後端部上に便座装置８が設置されており、この便座装置８は局部洗浄機能を有し、暖房便座本体９及びその上に開閉自在な便蓋１０を回動自在に軸支して備えている。そして、便座装置８の局部洗浄や暖房便座等を操作するリモコン１１が、トイレの側壁面に取り付けられている。この場合、便器本体１に着座した状態で楽にリモコン１１を操作することができる。
【００１２】
音響装置３はＭＤ、ＣＤプレイヤー或いはラジオ等の音楽を発する音響機器であり、トイレの内部、外部のいずれに設置されてもよいものである。この音響装置３は前記リモコン１１において操作されるものであり、したがって、同リモコン１１には便座装置８を操作する便座操作部１２と音響装置３を操作する音響操作部１３とが配設されている。便座操作部１２では便座温度や局部洗浄水の温度、強さ等が設定操作され、音響操作部１３では音響装置３の音量や選曲等が設定操作される。
【００１３】
便器本体１の外周壁にはカバー体２が装着されており、このカバー体２に前記音響装置３のスピーカー部４が設けられている。カバー体２は合成樹脂製であり、図２に示すように、全体として略袴形状で水平断面が略Ｕ字形状となるように後方へ開口し、この開口部分５から便器本体１の外周壁に装着されるもので、便器本体１の外周壁の前面部分及び両側面部分に沿ってこの部分を覆うものである。ここで、カバー体２は便器本体１の外周壁の少なくとも前面部分を覆うものであればよく、便器本体１の外周壁の前面部分だけを覆うよう小さく形成されても、或いは、便器本体１の外周壁を全周にわたって覆うよう大きく形成されてもよいものである。
【００１４】
また、前記カバー体２の後方へ開口した開口部分５には、カバー体２を便器本体１に対して着脱自在に固定する止め具６が備えられている。止め具６は可動押さえ部材６ａと固定受け部材６ｂとでなり、カバー体２の一方の後端部内側に可動押さえ部材６ａが枢着され、同カバー体２の他方の後端部内側に固定受け部材６ｂが固着されている。可動押さえ部材６ａは弾性を有し便器本体１の後部外周壁に沿って湾曲した帯板状で、その一端に設けられた軸部６１を介してカバー体２に対して回動自在に枢着され、その他端に折曲形成された止め部６２がフック状の前記固定受け部材６ｂに対して着脱自在に係止される。ここで、止め具６の係止を着脱させて、カバー体２を便器本体１に対して取り付けたり取り外したりする作業を容易に行うことができる。
【００１５】
カバー体２の前面には、ステレオ機能をなす対のスピーカー部４が配設されている。両スピーカー部４はいずれも斜め下前方へ向けて音を発するものであり、これは、カバー体２の前面が斜め下後方へ傾斜しており、この傾斜した前面に設けられることによる。スピーカー部４から発された音は、トイレの床面及び前壁面を反射して、着座した使用者に対して正面から包み込むように効率良く伝達される。なお、ステレオ機能をなす対のスピーカー部４は、カバー体２の両側面に配設されてもよい。
【００１６】
カバー体２の前面中程には、前記両スピーカー部４の上側に人体検知センサ７が設けられている。この場合、便器本体１の前方にトイレの出入口があると、人体検知センサ７は使用者をトイレに入室した段階で正確に検知することができる。人体検知センサ７がトイレ使用者を検知すると、音響装置３がＯＮ操作されてスピーカー部４から自動的に音楽が流れ始める。また、使用者がトイレから退室して人体検知センサ７の無検知状態が所定時間を超えると、音響装置３がＯＦＦ操作されてスピーカー部４から流れる音楽が自動的に止む。
【００１７】
したがって、この実施形態の音響機能付き様式便器においては、便器本体１の外周壁の少なくとも前面部分を覆うカバー体２の前面に音響装置３のスピーカー部４を設けているので、比較的長時間となる着座しての便器使用時に、前方から音が反射して聞こえることになり、使用者へは音が正面から包み込むように伝わって音の伝達効率は向上される。また、スピーカー部４が設けられるカバー体２は、便器本体１の外周壁の少なくとも前面部分を覆うよう着脱自在に装着されるので、既存の便器本体１に対しても、コンパクトに体裁良く且つ簡単に装着することができて音響機能を付与し易いものであり、施工やその取替え作業も容易となる。
【００１８】
また、この実施形態の音響機能付き様式便器においては、カバー体２が全体として略袴形状で水平断面が略Ｕ字形状となるように後方へ開口しており、この開口部分５から便器本体１の外周壁に装着されるので、カバー体２を便器本体１に対して取り付けたり取り外したりする作業を容易に行うことができる。しかも、前記開口部分５にはカバー体２を便器本体１に対して着脱自在に固定する止め具６が備えられているので、この止め具６によりカバー体２を便器本体１に対して確実に固定することができる。更には、止め具６による係止固定を解除してカバー体２を便器本体１から取り外し、この状態でカバー体２の清掃やスピーカー部４のメンテナンス等の作業を容易に行うこともできる。
【００１９】
また、この実施形態の音響機能付き様式便器においては、カバー体２の前面が斜め下後方へ傾斜しており、この前面にスピーカー部４を斜め下前方へ向けて設けているので、スピーカー部４から発された音は、トイレの床面及び前壁面を反射して、着座した使用者に対して正面から包み込むようにより効率良く伝達される。しかも、カバー体２に設けられる人体検知センサ７が人体を検知することによりスピーカー部４が動作されるようになっているので、人体検知センサ７によりトイレ使用者が検知されると、操作することなくスピーカー部４から自動的に音が発せられて使い勝手は良好なものである。
【００２０】
図３は、本願の請求項１〜４全てに対応した別の実施形態である音響機能付き様式便器を示している。この実施形態の音響機能付き様式便器においては、便器本体１の両側に肘掛１４が配設され、一方の肘掛１４に便座装置８を操作する便座操作部１２と音響装置３を操作する音響操作部１３とが配設されている。この場合、肘掛１４上に腕を載せた楽な状態で便座操作部１２或いは音響操作部１３を操作することができる。また、肘掛１４は便器本体１の側部に枢支軸部１５、アーム部１６を介して取り付けられており、枢支軸部１５を中心に前後に回動させることができる。なお、それ以外は上記実施形態と同様に構成され、上記実施形態におけると同様の作用効果が奏される。
【００２１】
本願発明にあっては、図４（ａ）に示すように、スピーカー部４がモノラルでカバー体２の前面に唯一設けられたものであってもよい。また、図４（ｂ）に示すように、カバー体２の外側面に複数のスピーカー取付部１７が配設され（ここでは、多数のスピーカー取付部１７がマトリクス状に配設されている）、いずれか一つ或いは複数のスピーカー取付部１７にスピーカー部４が選択されて取り付けられてもよい。この場合、所望の数のスピーカー部４を所望の配置にしてカバー体２に設けることができる。ここで、スピーカー取付部１７は、ユニット状のスピーカー部４が嵌め込まれる凹形状であっても、或いは、スピーカー部４が引っ掛け係止されるフック形状であってもよい。
【図面の簡単な説明】
【００２２】
【図１】本願発明の一実施形態である音響機能付き様式便器を示す斜視図。
【図２】同音響機能付き様式便器におけるカバー体を示す斜視図。
【図３】本願発明の別の実施形態である音響機能付き様式便器を示す斜視図。
【図４】本願発明における（ａ）（ｂ）各別のカバー体を例示する斜視図。
【図５】従来例である音響機能付き様式便器を示す斜視図。
【符号の説明】
【００２３】
１  便器本体
２  カバー体
３  音響装置
４  スピーカー部
５  開口部分
６  止め具
７  人体検知センサ
【図１】
2007169934.tif 000003
【図２】
2007169934.tif 000004
【図３】
2007169934.tif 000005
【図４】
2007169934.tif 000006
【図５】
2007169934.tif 000007